(57)【要約】【課題】出力されるプリントの種類等の諸条件に基づいて、所望の裏面を有する写真プリントを出力することが可能な写真処理装置を提供する。【解決手段】本発明に係る写真処理装置は、複数種類の記録材に対して写真プリントを行うものであって、画像形成部と、搬送部と、制御部と、を備えている。画像形成部は、記録材のプリント面に対して画像形成を行う。制御部は、記録材の裏面情報に基づいて、写真プリントを行う記録材を選択する。搬送部は、複数種類の記録材のうち、制御部によって選択された記録材を画像形成部へ搬送する。【選択図】図１
2009237312.tif 000002
【特許請求の範囲】
【請求項１】
複数種類の記録材に対して写真プリントを行う写真処理装置であって、
前記記録材のプリント面に対して画像形成を行う画像形成部と、
前記記録材の裏面情報に基づいて、前記写真プリントを行う前記記録材を選択する制御部と、
前記複数種類の記録材のうち、前記制御部によって選択された前記記録材を前記画像形成部へ搬送する搬送部と、
を備えている写真処理装置。
【請求項２】
前記裏面情報は、無地であるか否かの情報を含む、
請求項１に記載の写真処理装置。
【請求項３】
前記制御部は、前記画像形成部がアルバム形式のプリント処理を行う際に、前記裏面情報に基づいて前記記録材を選択する、
請求項１または２に記載の写真処理装置。
【請求項４】
前記記録材の前記裏面情報に関する入力を受け付ける入力部を、さらに備えている、
請求項１から３のいずれか１項に記載の写真処理装置。
【請求項５】
前記記録材の前記裏面情報を表示する表示部を、さらに備えており、
前記制御部は、ユーザに対して複数の前記裏面情報から所望の裏面情報を選択させるための選択画面を前記表示部に表示させるように制御を行い、前記ユーザが所望する裏面情報を有する前記記録材を選択する、
請求項１から４のいずれか１項に記載の写真処理装置。
【請求項６】
前記記録材の裏面情報に関する画面を表示する表示部を、さらに備えており、
前記制御部は、所定の前記裏面情報を有する前記記録材がなくなると、注意喚起を行うように前記表示部を制御する、
請求項１から５のいずれか１項に記載の写真処理装置。
【発明の詳細な説明】
【技術分野】
【０００１】
本発明は、印画紙等の記録材に対して写真プリントを行う写真処理装置に関する。
【背景技術】
【０００２】
近年、デジタルカメラ等の撮影装置によって撮影された画像を取得して、印画紙に対して写真プリントするデジタルミニラボと呼ばれる写真処理装置が用いられている。
例えば、特許文献１には、予め登録されている複数のペーパーマガジンに収容されている全てのプリント用紙の情報を認識することが可能な写真処理装置について開示されている。そして、通常、このようなプリント用紙の裏面（プリントされない面）には、その用紙の製造会社のロゴマークなどが記入されている。
【０００３】
一方、プリントされた写真は、アルバムなどに収納される。このような収納形式では、裏面をアルバムの台紙に隣接して収納するため、収納後に裏面が露呈することはなかった。
しかし、今日、写真の収納形式が多様化され、特に、プリントされた写真自体をそのままアルバムを構成する用紙として綴ることができる収納形式が増加している。これは、例えば、パノラマサイズの用紙に複数の画像のプリント（以下、アルバムプリントと記載する）を行い、この用紙（写真）自体がアルバムの頁（台紙）を構成するものである。
【０００４】
これは、写真の裏面が露呈する収納形式であるため、上記ロゴマークなどが目立ってしまう。
【特許文献１】特開２００６−２６７１６４号公報（平成１８年１０月５日公開）
【発明の開示】
【発明が解決しようとする課題】
【０００５】
しかしながら、上記従来の写真処理装置では、装置内に装填された複数種類のペーパーマガジンに関する情報を認識することができるものの、この情報にはペーパーの裏面についての情報が含まれていないため、ユーザの好みでプリントの裏面側の模様を選択することはできない。
本発明の課題は、出力されるプリントの種類等の諸条件に基づいて、所望の裏面を有する写真プリントを出力することが可能な写真処理装置を提供することにある。
【課題を解決するための手段】
【０００６】
第１の発明に係る写真処理装置は、複数種類の記録材に対して写真プリントを行う写真処理装置であって、画像形成部と、搬送部と、制御部と、を備えている。画像形成部は、記録材のプリント面に対して画像形成を行う。制御部は、記録材の裏面情報に基づいて、写真プリントを行う記録材を選択する。搬送部は、複数種類の記録材のうち、制御部によって選択された記録材を画像形成部へ搬送する。
【０００７】
ここでは、複数種類の記録材を搭載しており、所定の条件に基づいて所望の記録材を選択して引き出しながら写真プリントを行う写真処理装置であって、記録材の裏面側の情報（裏面情報）に基づいて、写真プリント処理を行う記録材を選択する。
ここで、記録材とは、写真がプリントされるシート材であって、例えば、印画紙やインクジェット記録用紙、または、熱転写によって記録される樹脂製のシート材などである。また、記録材の裏面情報とは、例えば、無地、デザイン、通常の記録材メーカーのロゴ入り等が含まれる。また、制御部は、例えば、ユーザの希望に応じて、当該装置に予めセットされている複数種類の記録材の中から、これらの記録材の裏面情報に基づいて、写真プリントを行う記録材を選択する。
【０００８】
これにより、例えば、予めオペレータによって入力された裏面情報を認識した上で、条件に見合った記録材を選択して写真プリントを行うことができる。
この結果、ユーザが好む裏面を有する写真プリントを容易に行うことができる。
【０００９】
第２の発明に係る写真処理装置は、第１の発明に係る写真処理装置であって、裏面情報は、無地であるか否かの情報を含む。
ここでは、記録材の裏面情報として、記録材の裏面が無地であるか否かの情報が含まれる。
これにより、例えば、ユーザが写真プリントによって出力した写真を束ねてアルバムとして利用するような場合でも、裏面側にメーカーのロゴ名等が記載されていないため、ユーザの使用感を損ねることを回避することができる。
【００１０】
第３の発明に係る写真処理装置は、第１または第２の発明に係る写真処理装置であって、制御部は、画像形成部がアルバム形式のプリント処理を行う際に、裏面情報に基づいて記録材を選択する。
ここでは、複数の写真を束ねてアルバム調にする際に、ユーザが好む裏面になるように、制御部が裏面情報に基づく記録材の選択を行う。
【００１１】
ここで、アルバム形式のプリント処理とは、例えば、パノラマサイズの用紙（記録材）に複数の画像を含むようにプリントするアルバム用プリント処理である。
これにより、例えば、写真プリントにおける複数の出力形式の中から、アルバム形式の写真プリントが選択された場合には、自動的に特定の裏面情報（例えば、無地）を有する記録材を用いてプリントすることができる。
この結果、ユーザが好む裏面を有するアルバムを自動的に作製することができる。
【００１２】
第４の発明に係る写真処理装置は、第１から第３の発明のいずれか１つに係る写真処理装置であって、記録材の裏面情報に関する入力を受け付ける入力部を、さらに備えている。
ここでは、例えば、長尺の記録材を巻回した状態で格納したマガジンを、装置内にセットする際に、セットされた記録材の裏面情報が、オペレータによって直接入力される。
これにより、装置内に裏面情報を検出するセンサ等を設けることなく、容易に所望の裏面を有する記録材を引き出して、写真プリントを行うことができる。
【００１３】
第５の発明に係る写真処理装置は、第１から第４の発明のいずれか１つに係る写真処理装置であって、記録材の裏面情報に関する画面を表示する表示部を、さらに備えている。制御部は、ユーザに対して複数の裏面情報から所望の裏面情報を選択させるための選択画面を表示部に表示させるように制御を行い、ユーザが所望する裏面情報を有する記録材を選択する。
ここでは、裏面情報を表示画面上に表示することで、ユーザに所望の裏面を有する記録材を選択させる。
これにより、ユーザは自分が好みの裏面を有する記録材を自ら選択して、写真プリントを行うことができる。
【００１４】
第６の発明に係る写真処理装置は、第１から第５の発明のいずれか１つに係る写真処理装置であって、記録材の裏面情報に関する画面を表示する表示部を、さらに備えている。制御部は、所定の裏面情報を有する記録材がなくなると、注意喚起を促す表示を行うように表示部を制御する。
【００１５】
ここでは、複数種類の記録材を格納した複数のマガジン等を搭載した写真処理装置において、ある種類の記録材を使いきった場合には、その種類の記録材の交換を促すような注意喚起を表示画面上に表示させる。
これにより、所定の記録材がなくなっているにもかかわらず、その記録材がユーザに選択されるようなケースを回避して、事前に交換等の作業を行うことができる。よって、ユーザは常時所望の記録材を用いて写真プリントを行うことができる。
【発明の効果】
【００１６】
本発明に係る写真処理装置によれば、ユーザが好む裏面を有する写真プリントを容易に行うことができる。
【発明を実施するための最良の形態】
【００１７】
本発明の一実施形態に係る写真処理装置１について、図１〜図１０を用いて説明すれば以下の通りである。なお、以下の説明では、本実施形態における写真処理装置１が、デジタルプリント店に設置されており、顧客が受付端末ステーション５に注文情報の入力を行い、この情報に応じてオペレータが銀塩プリントステーション３の動作を制御する操作ステーション２に対して入力操作を行うものとして説明する。
【００１８】
そして、顧客は、プリント注文終了後に受付端末ステーション５によってプリント発行された受付証ｒｅ（図２参照）と、写真プリント装置５によってプリントされた商品とを、ＤＰ店の店員（上記オペレータであってもよい）を介して引き換える。
また、メディアＭ１の具体例としては、スマートメディア、コンパクトフラッシュ（登録商標）、メモリスティック（登録商標）、メディアのアタッチメントとして機能するＰＣカード、顧客自身が画像情報を保存したＣＤ−ＲＯＭやＭＯ等が挙げられる。
【００１９】
［写真処理装置１全体の構成］
本実施形態に係る写真処理装置１は、図１に示すように、受付端末ステーション５と、操作ステーション２と、銀塩プリントステーション３と、ケーブル６と、ケーブル８と、を備えている。
受付端末ステーション４は、図１および図２に示すように、顧客からの注文の入力を受け付けるためのものである。この受付端末ステーション５に入力された注文情報は、ケーブル８を介して操作ステーション２に送られる。
【００２０】
操作ステーション２は、図１および図５に示すように、現像された写真フィルム２ａやデジタルカメラ等で撮影されたデジタル画像データが保存されたメモリカード２ｂ等のメディアから画像データを取り込んでプリントデータを作成し、ケーブル６を介して接続された銀塩プリントステーション３に対してこのプリントデータを送信（転送）する。
銀塩プリントステーション３は、図１および図６に示すように、操作ステーション２から受信した画像データに基づいて、印画紙Ｐに対して露光処理および現像処理を行って写真プリント（プリント処理）を行う。
【００２１】
［受付端末ステーション５の構成］
受付端末ステーション５は、図２に示すように、筐体５１と、液晶型のディスプレイ５２とを備えている。
ディスプレイ５２は、筐体５１の上面に配置されている。そして、ディスプレイ５２は、画像表示面に顧客にとっての入力手段としてのタッチパネル５３が形成されている。タッチパネル５３は、顧客が接触して入力操作を行うことにより入力操作信号を出力するように構成されており、顧客が接触する領域によって異なる入力操作信号を出力するものである。
【００２２】
筐体５１の前面には、各メディアドライブ５４にメディアＭ１をセットするための挿入口と、受付証ｒｅを発行するための熱転写式の受付証プリンタ５５が設けられている。筐体５１の内部には、制御手段としてのコントローラ５０およびデータ格納部としてのハードディスク５６が内蔵されている。
コントローラ５０は、機能的には、ネットワーク機能を有する汎用コンピュータと実質的に同様であり、複数のメディアドライブ５４およびタッチパネル５３との情報のやりとり、顧客のタッチパネル５３への入力操作に基づいて、銀塩プリントステーション３によるプリント出力を行うためにオペレータが操作ステーション２に入力する注文情報の作成、ハードディスク５６への格納管理、受付証プリンタ５５等の制御を行う。また、コントローラ５０は、図３に示すように、ＣＰＵ５７と、作業領域が形成されるＲＡＭ型の半導体メモリや、プログラムやパラメータが保存されるＲＯＭ型の半導体メモリなどの種々のメモリ５８を有している。また、コントローラ５０は、ＲＯＭに格納された情報入力処理プログラムＰＧをＲＡＭに読み込ませることにより、図４に示すように、表示制御部６２と、入力検出部６３と、注文情報処理部６４と、受付証発行処理部６５と、を備えた機能ブロックを形成する。そして、上記機能ブロックは、コントローラ５０によって実行可能な状態となる。
【００２３】
表示制御部６２は、顧客にメディアドライブ５４によって読み出される画像情報のプリント注文を行うための入力操作を促す複数の注文用画面をディスプレイ５２に表示する。この注文用画面には、メディアＭ１から読み込んだ画像情報（サムネイル画像）と、タッチパネル５３を介することによって各種命令を確定する入力領域が含まれている。また、表示制御部６２は、後述する入力検出部６３によって判定された顧客の入力操作内容に基づいて、随時、注文用画面を切り替えて表示する。
【００２４】
入力検出部６３は、タッチパネル５３から出力された入力操作信号を受信して、顧客が入力操作（接触）したタッチパネル５３上の座標情報を認識する。そして、入力検出部６３は、認識した座標情報に基づいて、タッチパネル５３上の座標情報とディスプレイ５２に表示させている注文用画面とを照らし合わせて、顧客の入力操作の内容を判定する。
このような構成を備える受付端末ステーション５は、顧客によって入力された注文情報をハードディスク５６に保存し、かつ、受付証プリンタ５５により受付証ｒｅをプリント発行し、操作ステーション２へ注文情報を転送する。
【００２５】
なお、受付端末ステーション５のコントローラ５０は、写真プリント装置５とＬＡＮ（Ｌｏｃａｌ  Ａｒｅａ  Ｎｅｔｗｏｒｋ）接続され、ＴＣＰ／ＩＰ形式のプロトコルで互いに情報のアクセスを行えるよう構成されている。
【００２６】
［操作ステーション２の構成］
操作ステーション２は、図５に示すように、デスク上に配置された、フィルムスキャナ２１と、メディアリーダ２２と、パーソナルコンピュータ（以下、パソコン）２３と、を有している。
フィルムスキャナ２１は、写真フィルム２ａに現像された撮影コマに対応する画像（以下、撮影コマ画像）をデジタル画像データとして取り込む。
メディアリーダ２２は、写真処理装置１の制御装置として機能するパソコン２３に搭載されており、デジタルカメラ等で撮影された撮影コマ画像のデジタルデータをメモリカード２ｂや各種半導体メモリ、ＣＤ−Ｒ等のメディアから取り込む。
【００２７】
パソコン２３は、モニタ（表示部）２３ａと、キーボード（入力部）２３ｂと、マウス（入力部）２３ｃと、制御部２４（図８参照）と、を有しており、各種の画像処理や補正および銀塩プリントステーション３における印画紙Ｐ１，Ｐ２の選択、プリント処理などを制御している。
制御部２４は、図８に示すように、内部にＣＰＵ２４ａと、ＲＯＭ２４ｂやＲＡＭ２４ｃ、ＨＤＤ２５を含む記憶装置と、を有している。
【００２８】
ＣＰＵ２４ａは、キーボード２３ｂやマウス２３ｃを介してオペレータによって入力された指示に従って、ＲＯＭ２４ｂやＲＡＭ２４ｃ、ＨＤＤ２５等の記憶装置に格納されている各種のプログラム２５ａを読み込んで、種々の画像処理や補正および銀塩プリントステーション３における画像プリント処理を実行させる。
次に、制御部２４が備える上記のＣＰＵ２４ａやＲＯＭ２４ｂ、ＲＡＭ２４ｃなどによって構成される機能について、図９に示す機能ブロック図を用いて以下で説明する。
【００２９】
制御部２４は、ＨＤＤ２５などの記憶部内に格納されている各種プログラムを読み込んで、表示制御部４０と、裏面情報取得部４１と、搬送指示部４２と、入力情報取得部４３と、残量情報取得部４４と、バックプリント指示部４５とを含む機能ブロックを形成する。
表示制御部４０は、モニタ２３ａに表示する画像やオペレータに対するメッセージなどを制御する。
【００３０】
裏面情報取得部４１は、オペレータによって予め入力された印画紙Ｐ１，Ｐ２に関する情報に基づいて、印画紙Ｐ１，Ｐ２の裏面情報を取得および特定する。ここで特定された裏面情報は搬送指示部４２に出力される。
搬送指示部４２は、裏面情報取得部４１と入力情報取得部４３からの出力に基づいて、印画紙Ｐ１または印画紙Ｐ２のいずれの印画紙を選択するかを特定し、特定した印画紙Ｐ１（または印画紙Ｐ２）を搬送するように、印画紙搬送機構１８を動作させる搬送指示信号を出力する。本実施形態においては、出力形式としてパノラマアルバムが選択された場合には、自動的に、裏面が無地である印画紙Ｐ１を搬送する搬送指示信号を出力する。
【００３１】
入力情報取得部４３は、キーボード２３ｂやマウス２３ｃにオペレータによって入力された（顧客が所望する）裏面情報などを取得する。ここで取得した顧客が所望する裏面情報は、搬送指示部４２に出力される。また、ここで取得された顧客が所望する裏面情報は、表示制御部４０にも出力され、オペレータが入力した情報を反映した画面がモニタ２３ａに表示される。
【００３２】
残量情報取得部４４は、銀塩プリントステーション３に設けられた印画紙残量センサ（図示せず）からの出力に基づいて、印画紙Ｐ１，Ｐ２の残量をそれぞれ特定する。ここで特定された印画紙の残量情報は、その残量が所定条件（例えば、いずれかの印画紙Ｐ１，Ｐ２の残量がパノラマサイズの用紙の１０枚分を下回るなどの条件）を満たす場合、表示制御部４０に出力され、印画紙Ｐ１，Ｐ２の残量に関する注意喚起がメッセージ化された画面がモニタ２３ａに表示される。
【００３３】
バックプリント指示部４５は、銀塩ステーション３に設けられたバックプリント部１３の出力を制御するバックプリント指示信号を出力する。本実施形態においては、出力形式としてパノラマアルバムが選択された場合には、バックプリントを行わないという内容のバックプリント指示信号が出力される。
【００３４】
［銀塩プリントステーション３の構成］
以下に、銀塩プリントステーション３の内部構成について図７を用いて説明する。
銀塩プリントステーション３は、図７に示すよう、内部に２つの印画紙マガジン１１と、シートカッター１２と、バックプリント部１３と、プリント露光部（画像形成部）１４と、処理槽ユニット（画像形成部）１５と、コンベア１６と、ストックボックス１７（図６参照）と、印画紙搬送機構（搬送部）１８と、印画紙残量センサ（図示しない）とを有している。
【００３５】
２つの印画紙マガジン１１は、銀塩プリントステーション３の内部において、ロール状の印画紙Ｐ１，Ｐ２をそれぞれ収納しており、印画紙搬送機構１８によってオペレータの入力に基づいた印画紙Ｐ１（または印画紙Ｐ２）が、適宜必要な量だけ引き出される。なお、印画紙Ｐ１は、裏面が無地である記録材である。また、印画紙Ｐ２は、裏面にロゴ（マーク）が書かれている記録材である。
【００３６】
シートカッター１２は、印画紙搬送機構１８の一部と隣接するように配置されており、印画紙マガジン１１から引き出された印画紙Ｐ１（または印画紙Ｐ２）をプリントサイズに切断する。
バックプリント部１３は、シートカッター１２の下流側であって、印画紙搬送機構１８に隣接する位置に配置されており、プリントサイズに切断された印画紙Ｐ１，Ｐ２の裏面側に、色補正情報やコマ情報等のプリント処理情報をプリント処理する。このプリント処理情報は、制御部２４に構成されたバックプリント指示部４５から出力されたバックプリント指示信号に基づいて形成される。ただし、上述したように、出力形式としてパノラマアルバムが選択された場合には、このバックプリント部１３は、これらのプリント処理情報などをプリントしない。
【００３７】
プリント露光部１４は、バックプリント部１３の下流側における印画紙搬送機構１８に隣接するように配置されており、プリントサイズに切断された印画紙Ｐ１（または印画紙Ｐ２）の表面に対して、プリントする撮影画像の露光を行う。また、プリント露光部１４は、副走査方向に搬送される印画紙Ｐ１（または印画紙Ｐ２）に対して、主走査方向に沿って、ＲＧＢの３色のレーザ光線を照射する図示しないライン露光ヘッドを有している。
【００３８】
処理槽ユニット１５は、プリント露光部１４の下流側に配置されており、発色現象処理液を貯留する発色現像槽１５ａ、漂白定着処理液を貯留する漂白定着槽１５ｂ、安定処理液を貯留する安定処理槽１５ｃを有している。そして、露光後の印画紙Ｐがこれらの各処理槽１５ａ〜１５ｃをこの順で経由しながら印画紙搬送機構１８によって搬送されることで、所望の写真プリント画像が印画紙Ｐ１（または印画紙Ｐ２）の表面に形成される。
【００３９】
コンベア１６は、銀塩プリントステーション３の上部に露出しており、写真プリント画像が表面に形成されて乾燥処理後に排出された印画紙Ｐをストックボックス１７（図６参照）の方向へ搬送する。
ストックボックス１７（図６参照）は、銀塩プリントステーション３の前面側に配置されており、コンベア１６によって搬送される印画紙Ｐ１（または印画紙Ｐ２）を受け止めて一時保管する。
【００４０】
印画紙搬送機構１８は、印画紙Ｐ１，Ｐ２の搬送方向におけるプリント露光部１４の上流側および下流側にそれぞれ配置されたチャッカー式搬送ユニット１８ａと、複数の挟持搬送ローラ対１８ｂとを有している。そして、印画紙搬送機構１８は、銀塩プリントステーション３の内部において、印画紙マガジン１１に収容されたロール状の印画紙Ｐ１（または印画紙Ｐ２）を引き出すとともに、プリントサイズに切断された印画紙Ｐ１（または印画紙Ｐ２）を所定の搬送速度で搬送する。また、印画紙搬送機構１８は、操作ステーション２が有する制御部２４に構成された搬送指示部４２によってその動作が制御されている。この制御の内容には、印画紙Ｐ１と印画紙Ｐ２とのいずれを搬送するかという制御が含まれる。
印画紙残量センサ（図示しない）は、印画紙Ｐ１，Ｐ２の残量を検知する。ここで検知した残量は、操作ステーション２が有する制御部２４に出力される。
【００４１】
＜裏面情報に基づく処理＞
ここで、本実施形態の写真処理装置１において、出力形式としてパノラマアルバムが選択された場合の動作について以下で説明する。なお、ここでは、銀塩プリントステーション３にセットされている印画紙Ｐ１，Ｐ２の裏面情報は、予めオペレータによって入力されているものとする。
【００４２】
ステップＳ１では、写真処理装置１の電源がオン状態になる。
ステップＳ２では、裏面情報取得部４１が、セットされている印画紙Ｐ１および印画紙Ｐ２の裏面情報を、オペレータによって予め入力されている情報から取得する。
ステップＳ３では、入力情報取得部４３が、オペレータによって入力された（顧客が所望する）印画紙の裏面情報を取得する（ここでは、顧客が、出力形式としてパノラマアルバムを選択したものとする。そして、本実施形態においては、出力形式としてパノラマアルバムが選択された場合は、自動的に裏面が無地である印画紙Ｐ１が選択される）。
【００４３】
ステップＳ４では、ステップＳ２において取得した各印画紙Ｐ１，Ｐ２の裏面情報と、ステップＳ３において取得した所望の裏面情報とに基づいて、搬送指示部４２が搬送指示信号を出力する。
ステップＳ５では、バックプリント指示部４５が、印画紙Ｐ１の裏面にバックプリントを行わないという内容のバックプリント指示信号をバックプリント部１３に出力する。
【００４４】
ステップＳ６では、ステップＳ４において出力された搬送指示信号に基づいて、印画紙搬送機構１８が印画紙Ｐ１を引き出して搬送し、パノラマサイズにカットする。
ステップＳ７では、印画紙Ｐ１に画像形成を行う。すなわち、プリント露光部１４が印画紙Ｐ１のプリント面（表面）に露光し、続いて、処理槽ユニット１５でその印画紙Ｐ１を現像する。
【００４５】
ステップＳ８では、印画紙搬送機構１８が、画像形成されたパノラマサイズの印画紙Ｐ１をコンベア１６上に出力する。
ステップＳ９では、ストックボックス１７にコンベア１６が印画紙Ｐ１を搬送する。
以上のような動作を行うことによって、顧客が所望する裏面（本実施形態の場合は無地の裏面）を有する印画紙Ｐ１にパノラマアルバム用の写真プリントを行うことが可能になる。
【００４６】
＜特徴＞
本実施形態の写真処理装置１は、図１から図８に示すように、印画紙Ｐ１または印画紙Ｐ２に対して写真プリントを行うものであって、プリント露光部１４および処理槽ユニット１５と、印画紙搬送機構１８と、制御部２４とを備えている。プリント露光部１４および処理槽ユニット１５は、印画紙Ｐ１，Ｐ２のプリント面に対して画像形成を行う。印画紙搬送機構１８は、オペレータによって出力形式としてパノラマアルバムが入力選択された場合、自動的に裏面が無地である印画紙Ｐ１をプリント露光部１４や処理槽ユニット１５へ搬送する。制御部２４は、オペレータによって出力形式としてパノラマアルバムが入力選択された場合、予め入力された印画紙Ｐ１，Ｐ２の裏面情報に基づいて、裏面が無地である印画紙Ｐ１を搬送するように印画紙搬送機構１８を制御する。また、制御部２４は、出力形式としてパノラマアルバムが選択された場合、バックプリント部１３がバックプリントを行わないように制御する。
【００４７】
このような構成により、パノラマアルバム形式の写真プリントを行う場合、裏面が無地である印画紙Ｐ１が自動的に選択されてプリントされる。また、バックプリントを行わないため、完全に無地状態の裏面を有する写真がプリントされる。
この結果、写真自体がアルバムの頁を構成するようなアルバム形式のプリントを行う場合、顧客が好む裏面を有するアルバムを自動的に作製することができる。
【００４８】
［他の実施形態］
以上、本発明の一実施形態について説明したが、本発明は上記実施形態に限定されるものではなく、発明の要旨を逸脱しない範囲で種々の変更が可能である。
（Ａ）
上記実施形態では、印画紙Ｐ１，Ｐ２の裏面が無地であるか否かを裏面情報として用いて、印画紙（裏面が無地である印画紙）Ｐ１を選択する例を挙げて説明した。しかし、本発明はこれに限定されるものではない。
例えば、裏面に所定のデザインが施されているか否かを裏面情報として、印画紙の選択を行うようにしてもよい。
この場合でも、顧客が好む裏面を有する記録材を用いて写真プリントを行うことができるという、上記と同様の効果を得ることができる。
【００４９】
（Ｂ）
上記実施形態では、パノラマサイズにカットされた印画紙に複数の画像が含まれるアルバム形式の写真プリントを行う際に、自動的に、裏面情報に基づいて印画紙（裏面が無地の印画紙）Ｐ１を選択する例を挙げて説明した。しかし、本発明はこれに限定されるものではない。
【００５０】
例えば、アルバム形式の出力としてはパノラマサイズのプリントに限定されるものではない。
また、アルバム形式の出力が選択された場合に、所望の裏面を有する印画紙を、顧客などが自由に選択することができるようにしてもよい。
さらには、通常の写真プリントを行う際にも、上述したような裏面情報に基づく印画紙の選択を自動的に行うようにしてもよい。
【００５１】
（Ｃ）
上記実施形態では、出力形式としてアルバム形式の出力が選択された場合に、自動的に裏面が無地である印画紙Ｐ１を選択する例を用いて説明した。しかし、本発明はこれに限定されるものではない。
例えば、予め設定された複数の裏面のデザイン（無地を含む）から、顧客が所望するデザインを選択し、この選択されたデザインを有する印画紙を用いて写真プリントを行うものであってもよい。
これにより、顧客が望むデザインの裏面を有する写真を自由に作製することが可能にある。
【００５２】
（Ｄ）
上記実施形態では、銀塩プリントステーション３が２つの印画紙Ｐ１，Ｐ２を搭載し、当該写真処理装置１は、その２つの印画紙Ｐ１，Ｐ２から印画紙を選択する例を挙げて説明した。しかし、本発明はこれに限定されるものではない。
例えば、３つ以上の印画紙を搭載するプリントステーションを備える構成であってもよい。
【００５３】
（Ｅ）
上記実施形態では、表示制御部４０が、モニタ２３ａに種々の注文画面などを表示する例を挙げて説明した。しかし、本発明はこれに限定されるものではない。
【００５４】
例えば、表示制御部が、ＷＷＷシステムを使用してディスプレイに表示される操作画面に対して、種々の注文画面などを表示するものであってもよい。
これによれば、インターネットを介してプリント注文等を受け付けるＷＥＢページにおいても、アクセシビリティを高めることが可能となる。
【産業上の利用可能性】
【００５５】
本発明の写真処理装置は、ユーザが好む裏面を有する写真プリントを容易に行うことができるという効果を奏することから、印画紙等の記録材の種類に関わらず、またインクジェット方式や銀塩処理等のプリント処理の種類に関わらず、写真プリントを行う各種写真処理装置に対して広く適用可能である。
【図面の簡単な説明】
【００５６】
【図１】本発明の一実施形態に係る写真処理装置を示す斜視図。
【図２】図１に示す受付端末ステーションを示す斜視図。
【図３】図２に示す受付端末ステーションの構成を示すブロック図。
【図４】図３に示す受付端末ステーションの機能を示すブロック図。
【図５】図１に示す写真処理装置に含まれる操作ステーションを示す斜視図。
【図６】図１に示す写真処理装置に含まれる銀塩プリントステーションを示す斜視図。
【図７】図６に示す銀塩プリントステーションの内部構造を示す断面図。
【図８】図５に示す操作ステーションの構成を示すブロック図。
【図９】図５に示す操作ステーションの機能を示すブロック図。
【図１０】図１に示す写真処理装置の動作を示すフローチャート図。
【符号の説明】
【００５７】
Ｍ１      メディア
１        写真処理装置
２        操作ステーション
２ａ      写真フィルム
２ｂ      メモリカード
３        銀塩プリントステーション
５        受付端末ステーション
６        ケーブル
１１      印画紙マガジン
１２      シートカッター
１３      バックプリント部
１４      プリント露光部（画像形成部）
１５      処理槽ユニット（画像形成部）
１５ａ    発色現像槽
１５ｂ    漂白定着槽
１５ｃ    安定処理槽
１６      コンベア
１７      ストックボックス
１８      印画紙搬送機構（搬送部）
１８ａ    チャッカー式搬送ユニット
１８ｂ    挟持搬送ローラ対
２１      フィルムスキャナ
２２      メディアリーダ
２３      パソコン
２３ａ    モニタ（表示部）
２３ｂ    キーボード（入力部）
２３ｃ    マウス（入力部）
２４      制御部
２４ａ    ＣＰＵ
２４ｂ    ＲＯＭ
２４ｃ    ＲＡＭ
２５      ＨＤＤ
２５ａ    プログラム
４０      表示制御部
４１      裏面情報取得部
４２      搬送指示部
４３      入力情報取得部
４４      残量情報取得部
４５      バックプリント指示部
５０      コントローラ
５１      筐体
５２      ディスプレイ
５３      タッチパネル
５４      メディアドライブ
５５      受付証プリンタ
５６      ハードディスク
５７      ＣＰＵ
５８      メモリ
６２      表示制御部
６３      入力検出部
６４      注文情報処理部
６５      受付証発行処理部
【図１】
2009237312.tif 000003
【図２】
2009237312.tif 000004
【図３】
2009237312.tif 000005
【図４】
2009237312.tif 000006
【図５】
2009237312.tif 000007
【図６】
2009237312.tif 000008
【図７】
2009237312.tif 000009
【図８】
2009237312.tif 000010
【図９】
2009237312.tif 000011
【図１０】
2009237312.tif 000012